(57)【要約】【課題】  安定性及び屈曲性を有する祭事用地下足袋及びその中底を提供する。【解決手段】  祭事用地下足袋の底部に設けられる中底であって、板状に形成された第１のクッション材と、前記第１のクッション材の下面側に設けられた硬質ボードとを備え、前記硬質ボードは、第２のクッション材により前ボード及び後ボードに分割されており、前記第２のクッション材は、履用時に少なくとも足裏の屈曲ラインに対応するように設けられている祭事用地下足袋の中底、及び、前記中底を備える祭事用地下足袋。【選択図】  図１
0003112367.tif 000002
【実用新案登録請求の範囲】
【請求項１】
祭事用地下足袋の底部に設けられる中底であって、
板状に形成された第１のクッション材と、
前記第１のクッション材の下面側に設けられた硬質ボードとを備え、
前記硬質ボードは、第２のクッション材により前ボード及び後ボードに分割されており、
前記第２のクッション材は、履用時に少なくとも足裏の屈曲ラインに対応するように設けられている祭事用地下足袋の中底。
【請求項２】
前記前ボード、後ボード及び第２のクッション材の下面が面一に形成されている請求項１に記載の祭事用地下足袋の中底。
【請求項３】
前記後ボードは、履用時に少なくとも土踏まずに対応するように設けられている請求項１又は２に記載の祭事用地下足袋の中底。
【請求項４】
前記第１のクッション材と前記第２のクッション材とが一体化されている請求項１から３のいずれかに記載の祭事用地下足袋の中底。
【請求項５】
請求項１から４のいずれかに記載の中底を備える祭事用地下足袋。
【考案の詳細な説明】
【技術分野】
【０００１】
本考案は、祭事等で履用される地下足袋及びその中底に関する。
【背景技術】
【０００２】
祭事等で山車を引いたり、神輿を担いだりする際には、激しい運動を要求されるため、地下足袋を履くことが多い。このような祭事用地下足袋として、例えば、特許文献１には、図４に示すように、地下足袋の底部材５４の上に空気封入型クッション材５３を敷いてその上に中敷クッション材５１を重ねた地下足袋において、空気封入型クッション材５３と中敷クッション材５１との間の踵に対応する部分に硬質ボード５２を挿設したものが開示されている。
【特許文献１】特開２００４−１４７７７３号公報
【考案の開示】
【考案が解決しようとする課題】
【０００３】
ところが、特許文献１に開示された祭事用地下足袋は、硬質ボード５２が踵に対応する部分にしか挿設されていないため、運動時における十分な安定感が得られないという問題があった。また、特許文献１には硬質ボードを足裏全体に設けた構成も開示されているが、この場合には、底面の十分な屈曲性が得られず、やはり良好な運動性能が得られないという問題があった。
【０００４】
そこで、本考案は、安定性及び屈曲性を有する祭事用地下足袋及びその中底を提供することを目的とする。
【課題を解決するための手段】
【０００５】
本発明の前記目的は、祭事用地下足袋の底部に設けられる中底であって、板状に形成された第１のクッション材と、前記第１のクッション材の下面側に設けられた硬質ボードとを備え、前記硬質ボードは、第２のクッション材により前ボード及び後ボードに分割されており、前記第２のクッション材は、履用時に少なくとも足裏の屈曲ラインに対応するように設けられている祭事用地下足袋の中底により達成される。
【０００６】
前記前ボード、後ボード及び第２のクッション材の下面は、面一に形成されていることが好ましい。また、前記後ボードは、履用時に少なくとも土踏まずに対応するように設けられていることが好ましい。また、前記第１のクッション材と前記第２のクッション材とが一体化されていることが好ましい。
【０００７】
また、本発明の前記目的は、前記中底を備える祭事用地下足袋により達成される。
【考案の効果】
【０００８】
本考案によれば、安定性及び屈曲性を有する祭事用地下足袋及びその中底を提供することができる。
【考案を実施するための最良の形態】
【０００９】
以下、本考案の一実施形態について添付図面を参照して説明する。図１は、本考案の一実施形態に係る祭事用地下足袋の縦断面図であり、図２は、図１に示す祭事用地下足袋の中底の下面図（接地側）である。本実施形態の祭事用地下足袋は、外郭を構成するアッパー５を中底３に吊り込み、底部材４を取り付けてなる、先端が二股に分かれた通常構造のものである。
【００１０】
図１及び図２に示すように、中底３は、クッション材１（第１のクッション材）と硬質ボード２とを備えている。クッション材１は、平板状に形成されており、履用時に屈曲ラインＸ（図３に示す各足指の中足趾節関節を結んでできるライン）に対応する位置に凸部１ａ（第２のクッション材）が設けられている。硬質ボード２は、前ボード２ａと後ボード２ｂとで構成されており、クッション材１の凸部１ａを挟むようにしてクッション材１の下面側に接着されている。
【００１１】
クッション材１は、スポンジ体であり、先端が二股に分かれた足形に形成されている。また、クッション材１は、足裏に対応した形状に形成されていればよく、例えば、５本の足指に合わせて先端が分かれた足形に形成されていてもよい。また、クッション材１は、弾性に富むゴムや合成樹脂或いはこれらのスポンジ体でできていてもよく、また、複層のものであってもよい。
【００１２】
凸部１ａは、幅方向に帯状に延び、前ボード２ａと後ボード２ｂとの間に隙間がないように設けられており、祭事用地下足袋の履用時に少なくとも足裏の屈曲ラインＸに対応するように設けられている。また、幅方向に帯状に延びる凸部１ａの形状としては、例えば、中底３の幅方向に平行な帯状のもの、又は、湾曲した帯状のもの等が挙げられる。また、凸部は、クッション材１ａと分離されていてもよい。
【００１３】
前ボード２ａ及び後ボード２ｂは、硬質紙でできており、凸部１ａと下面が面一に形成されている。また、後ボード２ｂは、履用時に土踏まずＹに対応するように設けられている。前ボード２ａ及び後ボード２ｂの材質は、硬質のものであればよく、例えば、金属、樹脂等であってもよい。また、剛性を高めるために、前ボード２ａ及び後ボード２ｂの内部に針金や剛性の高い帯板等を挿設又はボード外部に接着等してもよい。また、前ボード２ａ及び後ボード２ｂは、複層のものであってもよい。また、前ボード２ａおよび後ボード２ｂの厚みは、薄すぎると容易に変形してしまい、厚すぎると運動時の軽快性が害されることになるので、０．８〜１．２ｍｍ程度に設定されることが好ましい。
【００１４】
また、中底３は、アッパー５と底部材４とが固着された祭事用地下足袋の底部に分離可能なものとして構成されていてもよい。
【００１５】
本実施形態の祭事用地下足袋によれば、クッション材１の下面に前ボード２ａ及び後ボード２ｂが設けられていることにより、前ボード２ａおよび後ボード２ｂで地面を蹴る力や踏ん張る力等を支えることができる。また、凸部１ａが前ボード２ａと後ボード２ｂとの間に隙間のないように設けられているので、履用時に足裏がこれらの部材の間に落ち込むことがない。これらにより、足場が悪く段差のある地面等においても、良好な安定性を得ることができる。
【００１６】
さらに、凸部１ａが足裏の屈曲ラインＸに対応するように設けられているので、運動時に要求される足裏の屈曲ラインＸにおける良好な屈曲性を得ることができる。
【００１７】
また、前ボード２ａ、後ボード２ｂ及び凸部１ａの下面が面一に形成されているため、クッション材１に接する足裏の段差を緩和することができ、良好な安定性を得ることができる。
【００１８】
また、前記後ボード２ｂが履用時に少なくとも土踏まずＹに対応するように設けられているため、中底３の土踏まずＹに対応する部位の剛性を高くすることができる。これによって、履用時にいわゆるシャンク効果を発揮することができ、運動性能を向上させることができる。ここで、シャンク効果とは、土踏まずを落ち込ませないことによって足裏の疲労を軽減でき、また、中底の土踏まずに対応する部位の過度のねじれを抑制することによって着地時等の安定性を向上できる効果のことをいう。
【００１９】
また、中底３の下面側に前ボード２ａおよび後ボード２ｂが形成されているため、中底３をアッパー５に吊り込み易くなり、祭事用地下足袋を容易に製造することができる。
【図面の簡単な説明】
【００２０】
【図１】本考案の一実施形態に係る中底を備える祭事用地下足袋の縦断面図である。
【図２】本考案の一実施形態に係る祭事用地下足袋の中底の下面図（接地側）である。
【図３】足裏の屈曲ラインを示す足裏の図である。
【図４】従来の祭事用地下足袋の縦断面図である。
【符号の説明】
【００２１】
１  クッション材
１ａ  凸部
２  硬質ボード
２ａ  前ボード
２ｂ  後ボード
３  中底
４  底部材
５  アッパー
Ｘ  屈曲ライン
Ｙ  土踏まず
５１  中敷クッション材
５２  硬質ボード
５３  空気封入型クッション材
５４  底部材
【図１】
0003112367.tif 000003
【図２】
0003112367.tif 000004
【図３】
0003112367.tif 000005
【図４】
0003112367.tif 000006